(57)【要約】【課題】概観の制限なしに細部を良好に認識可能に表示することを可能にする。【解決手段】対象、特に患者（７）を走査する検出器システムと、走査によって求められたデータを処理する計算ユニット（１０）と、走査された対象（７）の断層撮影の画像データを第１の画像分解能で可視化表示する手段とを少なくとも備えた断層撮影システムにおいて、断層撮影の画像データを可視化表示する手段は選択可能な表示機能を有し、この表示機能によって可視化表示の部分範囲がマークされ、このマークされた部分範囲が第１の画像分解能での可視化表示のほかに同時に第１の画像分解能より高い第２の画像分解能で表示され、断層撮影の表示の算出は第１の低い画像分解能で行なわれ、マークされた部分範囲については設定された高い分解能で新たな算出が行なわれる。【選択図】図１
2007195970.tif 000002
【特許請求の範囲】
【請求項１】
対象（７）を走査する検出器システムと、
走査によって求められたデータを処理する計算ユニット（１０）と、
走査された対象（７）の断層撮影の画像データを第１の画像分解能で可視化表示する手段とを少なくとも備えた断層撮影システムにおいて、
断層撮影の画像データを可視化表示する手段は選択可能な表示機能を有し、この表示機能によって可視化表示の部分範囲がマークされ、このマークされた部分範囲が第１の画像分解能での可視化表示のほかに同時に第１の画像分解能より高い第２の画像分解能で表示され、断層撮影表示の算出は第１の低い画像分解能で行なわれ、マークされた部分範囲については設定された高い分解能で新たな算出が行なわれることを特徴とする断層撮影システム。
【請求項２】
選択可能な表示機能は、第２の高い画像分解能での可視化表示を、第１の画像分解能の画像内における画像として再生することを特徴とする請求項１記載の断層撮影システム。
【請求項３】
選択可能な表示機能は、第２の高い画像分解能での表示を、マークされた部分範囲に対して予め定められた最小間隔または最大可能な間隔で再生することを特徴とする請求項２記載の断層撮影システム。
【請求項４】
断層撮影の画像データを可視化表示する手段が２つのディスプレイを有し、第１の分解能を有する表示が第１のディスプレイにおいて行なわれ、第１の分解能より高い分解能を有する表示が第２のディスプレイにおいて行なわれることを特徴とする請求項１記載の断層撮影システム。
【請求項５】
マークされかつ拡大すべき画像範囲（Ｂ）のための位置決め装置が設けられ、位置決め装置によって使用者がこのマークされた範囲を第１の分解能を有する画像表示上で任意に移動させ得ることを特徴とする請求項１乃至４の１つに記載の断層撮影システム。
【請求項６】
マークされかつ拡大すべきでありしかも第１の分解能を有する画像範囲（Ｂ）と第１の分解より高い分解能で表示された画像範囲（Ｂ＋）との間に光学的な接続線が表示されることを特徴とする請求項１乃至３の１つ又は５に記載の断層撮影システム。
【請求項７】
使用者により第１の分解能および／または第２の分解能を選択するための機能が設けられていることを特徴とする請求項１乃至６の１つに記載の断層撮影システム。
【請求項８】
断層撮影システムがコンピュータ断層撮影システム（１）であることを特徴とする請求項１乃至７の１つに記載の断層撮影システム。
【請求項９】
断層撮影システムが陽電子放出断層撮影システムであることを特徴とする請求項１乃至７の１つに記載の断層撮影システム。
【請求項１０】
断層撮影システムが核磁気共鳴システムであることを特徴とする請求項１乃至７の１つに記載の断層撮影システム。
【請求項１１】
少なくとも１つの検出器システムにより対象（７）が走査され、
走査によって求められたデータにより、断層撮影の分解能を有する断層撮影の対象データが算出され、
断層撮影の対象データが第１の分解能を有する断層画像として表示される断層撮影システムにおける断層撮影表示の可視化方法において、
表示機能が使用可能であり、この表示機能によって可視化表示の部分範囲がマークされ、このマークされた部分範囲（Ｂ）が第１の画像分解能での可視化表示のほかに同時に第１の画像分解能より高い少なくとも１つの第２の画像分解能で表示可能であり、断層撮影表示の算出が第１の低い画像分解能で行なわれ、マークされた部分範囲については設定された高い分解能にしたがって新たな算出が行なわれることを特徴とする断層撮影表示の可視化方法。
【請求項１２】
選択可能な表示機能は、少なくとも１つの第２の高い画像分解能での可視化表示を、第１の画像分解能の画像内における画像として再生することを特徴とする請求項１１記載の方法。
【請求項１３】
少なくとも１つの第２の高い画像分解能（Ｂ＋）での表示が、マークされた部分範囲に対して予め定められた最小間隔または最大可能な間隔で表示されることを特徴とする請求項１２記載の方法。
【請求項１４】
可視化表示のための手段が２つのディスプレイを有し、第１の分解能を有する表示が第１のディスプレイにおいて行なわれ、第１の分解能より高い分解能を有する表示が第２のディスプレイにおいて行なわれることを特徴とする請求項１１記載の方法。
【請求項１５】
マークされかつ拡大すべき画像範囲（Ｂ）がカーソル移動によって第１の表示内において移動可能であることを特徴とする請求項１１乃至１４の１つに記載の方法。
【請求項１６】
使用者によって、マークされた画像範囲（Ｂ）の拡大が、画像表示上においてカーソル移動によって決定可能であることを特徴とする請求項１１乃至１５の１つに記載の方法。
【請求項１７】
使用者によって、高い分解能（Ｂ＋）を有する少なくとも１つの表示の拡大および／または位置が変更可能であることを特徴とする請求項１１乃至１６の１つに記載の方法。
【請求項１８】
表示される高い分解能（Ｂ＋）が、マークされ第１の分解能を有する画像範囲（Ｂ）と選択され少なくとも１つの第２の分解能を有する表示大きさとの間の大きさ比に基づいて自動的に決定されることを特徴とする請求項１１乃至１７の１つに記載の方法。
【請求項１９】
マークされかつ拡大すべきでありしかも第１の分解能を有する範囲（Ｂ）と第１の分解能より高い分解能で表示される画像範囲（Ｂ＋）との間に光学的な接続線が作成されることを特徴とする請求項１１乃至１３の１つまたは１５乃至１８の１つに記載の方法。
【請求項２０】
使用者に第１の分解能および／または第２の分解能を選択するための機能が提供されることを特徴とする請求項１１乃至１７の１つ又は１９に記載の方法。
【請求項２１】
最大に設定可能な高い分解能として、与えられた検出器システムにより達成可能な分解能が使用されることを特徴とする請求項１１乃至２０に記載の方法。
【請求項２２】
与えられた検出器システムにより達成可能であるよりも高い分解能が設定されると、光学的または音響的な指示が発せられることを特徴とする請求項１１乃至２０記載の方法。
【請求項２３】
コンピュータ断層撮影システム（１）が使用されることを特徴とする請求項１１乃至２２記載の方法。
【請求項２４】
最初に再構成された断層画像が表示されることを特徴とする請求項２３記載の方法。
【請求項２５】
多断面変換表示法（ＭＰＲ）による断層画像が表示されることを特徴とする請求項２３記載の方法。
【請求項２６】
最大値投影表示法（ＭＩＰ）による断層画像が表示されることを特徴とする請求項２３記載の方法。
【請求項２７】
ボリュームレンダリング法（ＶＲＴ）による断層画像が表示されることを特徴とする請求項２３記載の方法。
【請求項２８】
表面表示法（ＳＳＤ）による断層画像が表示されることを特徴とする請求項２３記載の方法。
【請求項２９】
陽電子放出断層撮影システムが使用されることを特徴とする請求項１１乃至２２記載の方法。
【請求項３０】
核磁気共鳴システムが使用されることを特徴とする請求項１１乃至２２記載の方法。
【請求項３１】
超音波システムが使用されることを特徴とする請求項１１乃至２２記載の方法。
【請求項３２】
断層撮影システムの計算ユニットに組み込まれたまたは計算ユニットのための記憶媒体において、この記憶媒体には、断層撮影システムの計算ユニット上での実行時に請求項１１乃至３１の１つに記載の方法を実行する少なくとも１つのコンピュータプログラムまたはプログラムモジュール（Ｐｒｇx）が記憶されていることを特徴とする断層撮影システムの計算ユニットに組み込まれたまたは計算ユニットのための記憶媒体。
【発明の詳細な説明】
【技術分野】
【０００１】
本発明は、対象、特に患者を走査する検出器システムと、走査によって求められたデータを処理する計算ユニットと、走査された対象の断層撮影の画像データを第１の画像分解能で可視化表示する手段とを備えた断層撮影システムに関する。更に、本発明は、少なくとも１つの検出器システムにより対象、特に患者が走査され、走査によって求められたデータにより、断層撮影の分解能を有する断層撮影の対象データが算出され、断層撮影の対象データが第１の分解能を有する断層画像として表示される断層撮影システムにおける断層撮影表示の可視化方法に関する。
【背景技術】
【０００２】
断層撮影表示において、分解能およびそれにより制約される拡大を表示画面上で可変選択することは今日では一般的である。表示に使用される画像マトリックスは一般に５１２×５１２ピクセルである。ここに患者の断層画像の概観が表示される場合に、表示される分解能は、特にＣＴシステムを使用する場合には使用された検出器システムの技術的に可能な分解能よりも遥かに低くいここで使用者によって、画像の細部をより良好に認識できるようにするために、より高い分解能が選択されると、非常に急速に概観が失われてゆき、少なくとも概観分解能と細部分解能との間における非常に面倒な行きつ戻りつという切替が必要である。
【発明の開示】
【発明が解決しようとする課題】
【０００３】
したがって、本発明の課題は、概観の制限なしに細部をより良好に認識可能に表示することを可能にする断層撮影システムおよび断層撮影表示の可視化方法を提供することにある。
【課題を解決するための手段】
【０００４】
この課題は、請求項１、請求項１１および請求項３２の特徴によって解決される。本発明の有利な実施態様は従属請求項に記載されている。
【０００５】
本発明者は、概観撮影による概観画像と細部拡大との組み合わせ表示が、位置（方位）認識の問題を解決すると同時に、選択された範囲の一種の拡大鏡表示によって、特定の画像範囲の評価に必要な改善された分解能および拡大された表示を可能にすることを認識した。使用者は、概観画像におけるどの範囲を細部表示として見たいのか決定し、そしてどのような分解能で、つまりどのような拡大で細部範囲を表示したいのかを決定する。例えば、マウスやトラックボールの如き位置決め装置により拡大すべき範囲が任意に概観画像上で移動可能であり、より高い分解能による表示において同時にこの範囲が拡大鏡によって見る如く表示されるならば、簡単な操作に役に立つ。
【０００６】
基本的にはこの表示方式の場合、先ず表示すべき範囲全体を最大可能な分解能で再構成または算出し、概観表示だけを低い分解能で示し、「拡大鏡範囲」を所望の分解能から最大分解能までの分解能で同時にもう一度示すことが可能である。この変形の欠点は、表示の最初の算出のために高い計算および記憶費用が必要であることにある。もちろん表示中には拡大すべき範囲の移動または分解能の変更の際に僅かな計算費用しか必要としない。他の変形においては概観画像が低い分解能で算出され、所望の細部拡大および／または所望の細部範囲の確定後にはじめて、所望の分解能および場合によっては最大の分解能による新たな算出が行なわれる。この変形は、最初の表示データの算出のみならず、例えばボリュームレンダリング、セグメンテーションなどによる表示変更にも関係する。
【０００７】
上述の本発明の基本思想にしたがって、本発明者は、対象、特に患者を走査する検出器システムと、走査によって求められたデータを処理する計算ユニットと、走査された対象の断層撮影の画像データを第１の画像分解能で可視化表示（ビジュアル表示）する手段とを少なくとも備えた断層撮影システムを提案する。改善のために、断層撮影の画像データを可視化表示する手段は選択可能な表示機能を有し、この表示機能によって可視化表示の部分範囲がマークされ、このマークされた部分範囲が第１の画像分解能での可視化表示のほかに同時に第１の画像分解能より高い第２の画像分解能で表示される。
【０００８】
選択可能な表示機能は、第２の高い画像分解能での可視化表示を、第１の画像分解能の画像内における画像として再生する。付加的に、選択可能な表示機能は、第２の高い画像分解能での表示を、マークされた部分範囲に対して予め定められた最小間隔または最大可能な間隔で再生する。これによって、拡大されて観察される部分範囲が、拡大された表示自体によって覆い隠されることは、可能な限り十分に免れる。
【０００９】
代替として、断層撮影システムが可視化表示のために更に別のディスプレイを備えているとよい。したがって、第１の分解能を有する表示が第１のディスプレイにおいて行なわれ、第１の分解能より高い分解能を有する表示が第２のディスプレイにおいて行なわれるとよい。
【００１０】
マークされかつ拡大すべき画像範囲のための位置決め装置が設けられ、位置決め装置によって使用者がこのマークされた範囲を第１の分解能を有する画像表示上で任意に移動させ得ることも好ましいことである。例えば、これはマウス、トラックボールまたはタッチ画面であるとよい。
【００１１】
改善された光学的な使用者案内のために、マークされかつ拡大すべきでありしかも第１の分解能を有する画像範囲と第１の分解能より高い分解能で表示された画像範囲との間に光学的な接続線が表示されると好ましい。これは、例えばマークされた範囲と拡大表示された範囲との間の直線の接続線の表示によって行なわれるとよい。
【００１２】
使用者により第１の分解能および／または第２の分解能を直接に選択するための機能が設けられるとよい。例えば、これは直接的な数値入力またはポテンショメータによって行なうことができる。
【００１３】
本発明によって、断層撮影システムにおける断層撮影表示の可視化方法も提案され、この方法は、公知のように、少なくとも１つの検出器システムにより対象、特に患者が走査され、走査によって求められたデータにより、断層撮影の分解能を有する断層撮影の対象データが算出され、断層撮影の対象データが第１の分解能を有する断層画像として表示される。この方法において、本発明によれば、表示機能が使用可能であり、この表示機能によって可視化表示の部分範囲がマークされ、このマークされた部分範囲が第１の画像分解能での可視化表示のほかに同時に第１の画像分解能より高い少なくとも１つの第２の画像分解能で表示可能である。
【００１４】
上述した断層撮影システムと同様に、少なくとも１つの第２の高い画像分解能での可視化表示は、第１の画像分解能の画像内における画像として行なわれる。この少なくとも１つの第２の高い画像分解能での表示が、マークされた部分範囲に対して予め定められた最小間隔または最大可能な間隔で表示されるように位置決めすることも可能である。
【００１５】
代替として、可視化表示のために２つのディスプレイが使用され、第１の分解能を有する表示が第１のディスプレイにおいて行なわれ、第１の分解能より高い分解能を有する表示が第２のディスプレイにおいて行なわれる。
【００１６】
更に、マークされかつ拡大すべき画像範囲がカーソル移動によって第１の表示内において移動可能であるならば有用である。更に、使用者によって、マークされた画像範囲の拡大が、画像表示上においてカーソル移動によって決定可能である。
【００１７】
方法の実施態様も、使用者によって、高い分解能を有する少なくとも１つの表示の拡大および／または位置が変更可能であると好ましい。
【００１８】
断層撮影システムの使用をできるだけ直観的な状態にするために、表示される高い分解能が、マークされ第１の分解能を有する画像範囲と、選択され少なくとも１つの第２の分解能を有する表示大きさとの間の大きさ比に基づいて自動的に決定されるとよい。これによって使用される分解能に関する知識が必要でなく、使用者は「拡大鏡」の簡単な大きさ決定によって所望の拡大もしくは分解能を得ることができる。
【００１９】
表示の改善された概観のために、マークされかつ拡大すべきでありしかも第１の分解能を有する範囲と第１の分解能より高い分解能で表示される画像範囲との間に光学的な接続線、例えばカラーで強調された線による接続線が作成されると好ましい。
【００２０】
使用者に第１の分解能および／または第２の分解能を選択するための機能が提供されるとよい。
【００２１】
本発明の特別な変形において本発明者は、断層撮影表示の算出が最大可能な分解能で行なわれ、それらのデータが保存され、その保存されたデータから低い分解能を有する第１の表示が発生され、高い分解能を有する範囲が同様にそれらの保存されたデータから得られることを提案する。既述のように、この方法は先ず比較的大きな計算容量を必要とするが、しかし比較的簡単な計算ステップによる最適分解能での表示の算出に基づいて種々の低い分解能での表示を行なうことができる。したがって、マークされた範囲の移動と共にその拡大表示を高速で行なうことができる。
【００２２】
代替として、断層撮影表示の算出が先ず第１の低い分解能で行なわれ、高い分解能を有する範囲については設定された高い分解能に応じて新たな算出が実行されるとよい。これによって、非常に高速の第１の概観表示が可能にされ、拡大表示はそれ相応の時間費用を要する。
【００２３】
概観画像を高速で低い分解能で算出し、即座に表示することも可能である。使用者は今やこの低い分解能の表示を観察し、位置を定め、画像のどの範囲に特に関心があるかを明らかにし、既に並行して待機時間中に自由な計算容量により高い分解能の算出が行なわれるので、部分画像が使用者によって要求されるや否や、この高い分解能の表示が即座に使用可能である。使用者にとっては、概観画像が速やかに作成され、高分解能表示のため遅れをほとんど認識できない。
【００２４】
更に、最大に設定可能な高い分解能として、与えられた検出器システムにより達成可能な分解能が使用されるか、または与えられた検出器システムにより達成可能であるよりも高い分解能が設定された際に少なくとも光学的または音響的な指示が発せられると好ましい。
【００２５】
上述の方法は、特にコンピュータ断層撮影（ＣＴ）システムで使用されるとよい。この場合に最初の再構成断層画像は種々の分解能で同時表示可能である。
【００２６】
もちろん、この方法は、いわゆる２次再構成法の表示と結合してもよい。例えば、これは多断面変換表示法（ＭＰＲ；Ｍｕｌｔｉ  Ｐｌａｎａｒ  Ｒｅｃｏｎｓｔｒｕｃｔｉｏｎ）、最大値投影表示法（ＭＩＰ；Ｍａｘｉｍｕｍ  Ｉｎｔｅｎｓｉｔｙ  Ｐｒｏｊｅｃｔｉｏｎ）、ボリュームレンダリング法（ＶＲＴ；Ｖｏｌｕｍｅ  Ｒｅｎｄｅｒｉｎｇ  Ｔｅｃｈｎｉｑｕｅ）あるいは表面表示法（ＳＳＤ；Ｓｈａｄｅｄ  Ｓｕｒｆａｃｅ  Ｄｉｓｐｌａｙ）である。これらの枚挙には暇がないほどである。
【００２７】
上述のＣＴ分野の方法の使用のほかに、この方法を陽電子放出断層撮影（ＰＥＴ）システム、核磁気共鳴（ＮＭＲ）システムまたは超音波システムに結合して使用することもできる。
【００２８】
本発明の範囲を逸脱することなく、本発明者は、断層撮影システムの計算ユニットに組み込まれたまたは計算ユニットのための記憶媒体において、この記憶媒体には、断層撮影システムの計算ユニット上での実行時に上述の方法を少なくとも部分的に実行する少なくとも１つのコンピュータプログラムまたはプログラムモジュールが記憶されていることも提案する。
【発明を実施するための最良の形態】
【００２９】
以下において、図面を参照しながら有利な実施例に基づいて本発明を更に詳細に説明する。ここでは本発明の理解のために必要な特徴だけが示されている。
図１はコンピュータ断層撮影（ＣＴ）システムを示し、
図２はＣＴ画像の本発明による表示例を示す。
【００３０】
図の説明のために次の符号が使用されている。１：ＣＴシステム、２：Ｘ線管、３：検出器、４：ガントリ開口、５：制御およびデータ線、６：ガントリハウジング、７：患者、８：患者用寝台、９：システム軸線，ｚ軸、１０：制御および計算ユニット、１１：メモリ媒体、１２：ＭＰＲ画像、Ｂ：マーキングされた画像範囲、Ｂ＋：マーキングされ高分解能表示された画像範囲、Ｐｒｇx：コンピュータプログラム。
【００３１】
図１は提案された本発明が実現されるコンピュータ断層撮影システム１を模範的に示す。コンピュータ断層撮影システム１は、公知のように、Ｘ線管２および対向する検出器３が固定されている詳しくは図示されていないガントリを有するガントリハウジング６を持っている。Ｘ線管２と検出器３との間には走査開口４があり、この開口４を通して、走査すべき患者７が、システム軸線すなわちｚ軸９に沿って移動可能な患者用寝台８により送り込まれる。これに対してＸ線管２および検出器３がシステム軸線９の周りを回転し、このようにして患者７の座標系に対して相対的にスパイラル状または逐次円状に患者７を走査する。
【００３２】
患者通過時のＸ線減弱が検出器３によって求められ、制御およびデータ線５を介して制御および計算ユニット１０に転送される。そこにおいて、概略的に示されたメモリ媒体１１に記憶され必要時に計算ユニットのＣＰＵのワークメモリに呼び出し可能であるコンピュータプログラムＰｒｇxにより、処理と、大抵は平行投影へのデータ再分類とが行なわれ、そして公知の再構成方法によって、走査された範囲の吸収特性のボリューム表示が作成される。このようなボリューム表示はシステム軸線方向に相前後して配置された多数の断層画像であるか、または実際に走査範囲のボクセルが個別に再構成される。今や既知の多数のボクセルから、再び２次元画面上に表示するために、任意の面における断層画像を取り出すことができる。
【００３３】
更に、付加的な表示変形または処理変形を選択することができ、これらによって、例えばセグメンテーション、いわゆる「ボリュームレンダリング」、あるいは画像の評価を容易にするその他の類似の方法が実行される。
【００３４】
検出器の物理的特性および実施された走査に基づいて特定の最大分解能を得ることができる。しかし、この最大分解能は走査範囲の概観表示の際に通常の画面では表示できない。このためには通常の画面のピクセル数は十分でない。しかし、十分なピクセル数を有する画面は、あまりにも大きくなりすぎて、使用者に合理的な作業を可能にさせない。
【００３５】
そこで、本発明者によって、異なる分解能による並行表示を選択することが提案され、例えば同じ画面上において、概観が低分解能で表示され、そこでより良好に表示すべき範囲が選択され、この選択された範囲が重なり表示で高分解能で表示される。
【００３６】
図２には腹部ＣＴによるＭＰＲ画像１２のこのような表示を示す。この表示において、観察者によって疑いがあるとして評価された結腸範囲Ｂがマークされ、それにしたがってこの範囲が、自動的に最大可能な分解能で、マークキング範囲Ｂに対してずらされて、重ねられた「窓」Ｂ＋内に表示される。付加的に、容易な位置認識のために、両範囲Ｂ、Ｂ＋の４つの角の間に接続線が表示される。
【００３７】
拡大されかつ高分解能を有する表示において、観察者は、今や認識可能な空気包含のために、概観画像において疑いがあるとして評価された結腸範囲が実際には残留大便にすぎず、悪性の組織でないことを認識する。使用者には、例えばマウスまたはトラックボールのポインタでマーキング範囲Ｂを「クリック」し引き続いてポインタを移動させることによってマーキング範囲を画像上で移動させ、そして概観画像における疑いのある個所を拡大鏡で拡大して観察することができ、しかも画面に完全に表示できない大写し（クローズアップ）において位置認識を失うことなく、かつ場合によっては重要な範囲を見逃すことなく観察することができる可能性を与えることができる。
【００３８】
補足するに、マーキング範囲の移動は断層画像表示の平面において可能であるのみならず、例えばマウスホイールの操作によって、画像全体をマーキング範囲Ｂおよび精密表示Ｂ＋と共にｚ方向に移動させることができる。同時にポインタを介して画像平面内におけるマーキング範囲の位置が決定されるので、このようにして、３次元走査ボリュームにおいて非常に簡単な仮想移動または一種の仮想飛行が可能であり、同時にマーキング範囲Ｂ＋は常に拡大表示されたままである。それによって位置認識は非常に簡単である。この場合に拡大範囲の移動のみならず、その対話式の拡大および縮小も有利である。
【００３９】
肺病変のボリュームレンダリングがちょうど同じように実現可能であり、しかも上述の高分解能拡大鏡（レンズ）は、例えば診断およびその後での治療のために重要である小さな血管の供給を表示する。病変のボリューム測定は腫瘍学の分野では非常に重要である。この場合に、データボクセルの分解能は精度を決定する重要なパラメータである。高分解能ボクセルの使用は明らかにより正確な測定をもたらす。
【００４０】
基本的にはこの場合にコンピュータによる具現化の２つの異なる変形が可能である。一方では、完全なデータセットが２度、つまり通常精度および最大精度で再構成される。適切なオーバラップによって、二次再構成およびそれに続く可視化において可視化または後処理に「高分解能ボクセル」が供給される。他方ではちょうど必要なボリュームのみが新たに高分解能で再構成され、二次再構成および／または可視化に入力データとして利用される。
【００４１】
本発明の上述の特徴は、その都度述べた組み合わせのみならず、他の組み合わせまたは単独でも本発明の範囲を逸脱することなく使用可能であることは自明である。
【図面の簡単な説明】
【００４２】
【図１】コンピュータ断層撮影システムを示す概略図
【図２】コンピュータ断層撮影（ＣＴ）画像の本発明による表示例を示す図
【符号の説明】
【００４３】
１          コンピュータ断層撮影（ＣＴ）システム
２          Ｘ線管
３          検出器
４          ガントリ開口
５          制御およびデータ線
６          ガントリハウジング
７          患者
８          患者用寝台
９          システム軸線
１０        制御および計算ユニット
１１        メモリ媒体
１２        ＭＰＲ画像
Ｂ          マークされた画像範囲
Ｂ＋        マークされ高分解能表示された範囲
Ｐｒｇx    コンピュータプログラム
【図１】
2007195970.tif 000003
【図２】
2007195970.tif 000004